(57)【要約】【課題】各エレベータ監視装置が常に正確な時刻を得ることで、監視センターへ送信するデータ量を平均化し負荷を軽減することができるとともに、緊急度の高い発報に対しては正確な時刻データを監視センターが受信できるエレベータ監視システムを提供する。【解決手段】各端末装置（エレベータ監視装置）１は、標準時刻電波送信局９から送信される標準時刻電波１６又はＧＰＳ衛星１７から送信されるＧＰＳ電波１８に含まれる標準時刻信号を、装置内の受信装置１０で受信し、時計ＩＣ１１に時刻データの補正を行う。これにより、端末装置１は、予め設定した、誤差のない正しい送信時刻にデータを送信することができ、監視センターへ送信するデータ量を平均化し負荷を軽減することができる。【選択図】  図１
2004250116.tif 000002
【特許請求の範囲】
【請求項１】
監視センターと、この監視センターに対して、所定の時刻にデータ送信を行う複数のエレベータ監視装置とを有するエレベータ監視システムにおいて、前記複数のエレベータ監視装置の内の少なくとも１つのエレベータ監視装置に設けられ、エレベータ監視装置の有する時刻データを、前記監視センターの時刻データに整合させるための時刻整合手段を備えたことを特徴とするエレベータ監視システム。
【請求項２】
請求項１に記載のエレベータ監視システムにおいて、前記時刻整合手段は、標準時刻電波送信局から送信される標準時刻信号を受信する手段と、この手段により受信された標準時刻信号に基づいて、エレベータ監視装置の有する時刻データを補正する手段とを含むものであることを特徴とするエレベータ監視システム。
【請求項３】
請求項１に記載のエレベータ監視システムにおいて、前記時刻整合手段は、ＧＰＳ衛星から送信されるＧＰＳ電波に含まれる標準時刻信号を受信する手段と、この手段により受信された標準時刻信号に基づいて、エレベータ監視装置の有する時刻データを補正する手段とを含むものであることを特徴とするエレベータ監視システム。
【請求項４】
請求項１に記載のエレベータ監視システムにおいて、前記監視センターは、時刻データ信号を送信する送信手段を備えたものであり、前記時刻整合手段は、前記送信手段から送信される時刻データ信号を受信する手段と、この手段により受信された時刻データ信号に基づいて、エレベータ監視装置の有する時刻データを修正する手段とを含むものであることを特徴とするエレベータ監視システム。
【請求項５】
請求項１に記載のエレベータ監視システムにおいて、前記エレベータ監視装置に接続された時刻データを有する機器に設けられ、前記時刻整合手段により整合された時刻データに基づいて、前記時刻データを有する機器の時刻データを補正する手段を備えたことを特徴とするエレベータ監視システム。
【請求項６】
監視センターと、この監視センターに対して、所定の時刻にデータ送信を行う複数のエレベータ監視装置とを有するエレベータ監視システムにおいて、前記監視センターに設けられ、時刻データを前記監視センターの時刻データに整合させるための時刻整合手段を有しないエレベータ監視装置の時刻データと、前記監視センターの時刻データとの時間差を算出する手段と、この手段により算出された時間差に基づいて、前記時刻整合手段を有しないエレベータ監視装置からのデータに含まれる時刻に関するデータを補正する手段とを備えたことを特徴とするエレベータ監視システム。
【発明の詳細な説明】
【０００１】
【発明の属する技術分野】
本発明は、エレベータ監視システムに関し、特にそのシステムにおける監視センターとエレベータ監視装置との間の時刻データの整合方法に関する。
【０００２】
【従来の技術】
一般に、エレベータの遠隔監視システムは、図４に示す構成である。これは監視センター２と、遠隔地に設置された複数のエレベータ監視装置（以下、端末装置と呼ぶ）１（１ａ、１ｂ、…）それぞれとの間を電話回線３によって接続し、端末装置１（１ａ、１ｂ、…）の各々が収集するエレベータの動作状態情報を、電話回線３を通して監視センター２に送信し、遠隔監視を行う。
【０００３】
また、図５に示すように端末装置１は、一般にエレベータ機械室４に設置され、端末装置１はエレベータ制御盤５と接続されている。尚、近年はエレベータ機械室４が無いエレベータもあり、この場合、端末装置１は昇降路８に設置されている場合もある。
【０００４】
端末装置１（１ａ、１ｂ、…）は、オートダイヤル機能、担当エレベータの動作状態情報の記憶機能、リダイヤル機能、端末装置の動作状態情報の伝送機能、遠隔点検機能などを備えている。監視センターには、各端末装置１（１ａ、１ｂ、…）からのエレベータの動作状態情報を受信する受信機能、受信した動作状態情報を記憶、表示する機能、監視センターから操作することでエレベータを遠隔自動運転し、点検を行う機能、異常発生時の報知機能などを備えている。そして、端末装置１と監視センター２との間を電話回線３で接続した構成である。
【０００５】
エレベータの遠隔監視を行う場合、各端末装置１が担当するエレベータの正常運転時の動作情報を定期的に、また緊急停止指令の発生、停電、かご内閉じ込めの発生、その他の異常状態の情報をその発生があれば直ちに、オートダイヤルによって監視センター２の遠隔監視装置を呼び出して自動的に伝送し、遠隔監視装置では各端末装置１から定期的に送られてくる動作状態情報を記憶し、また異常情報についてはその受信によって監視員に異常発生を知らせる警報を発すると共に受信した異常状態情報を印字出力し、表示装置に表示し、さらにデータとして記憶する動作を行う。
【０００６】
そして、異常発生時には、監視センター２の監視員が遠隔監視装置に表示されたエレベータの設置場所や異常状態を判断し、保守の必要があれば緊急に現地に出向く態勢をとっている。なお、異常発生時に端末装置１から監視センター２に異常情報を送信し、監視センター２の監視員が現地に出向くようにしたエレベータの遠隔監視システムは、例えば特許文献１にも記載されている。
【０００７】
また、端末装置１は端末装置自身が正しく動作し、エレベータが正常であることを監視センター２が確認するためにほぼ毎日、監視センター２の遠隔監視装置にデータの送信を行うか、監視センター２から端末装置１に通信を行い、動作確認を行っている。
【０００８】
上記のようなエレベータの遠隔監視システムの場合、監視センター２が受ける１日あたりの端末装置１の動作確認だけの送受信数は、監視センター２が担当するエレベータ数とおおよそ同数となり、遠隔監視本来の目的であるより緊急度の高いかご内閉じ込めやその他エレベータの異常状態による発報などに対して、監視センター２はこれら緊急度の高い発報を優先的に受けられるようにしなければならない。
【０００９】
これに対してほぼ毎日監視センター２の遠隔監視装置に行うデータの送信に対しては、端末装置１が持っている時計機能を利用して、図６に示す様にあらかじめ各端末装置１のデータの送信する時刻を分散させることで監視センター２が受けるデータ量を平均化している。ここで、図６では監視センターが受ける数が１分間あたり３件としているが、監視センター２の規模によりこの数は変動する。
【００１０】
尚、監視センター２ヘのデータ送信開始時刻を端末装置１に設定する方法は、時刻指定の場合やタイマー設定で定期的に行う方法などがある。
【００１１】
【特許文献１】
特開平１１−３３５０２１号公報（第４頁、図１）
【００１２】
【発明が解決しようとする課題】
上記従来技術のようなデータの送信方法の場合、監視センター２が受けるデータ量は平均化されているように見えるが、各端末装置１の持つ時計は、それぞれ単独で動作しているために本当の正しい時刻（以下、標準時刻と呼ぶ）に対して誤差が発生し、その値はまちまちとなる。
【００１３】
このため設定当初には、データ送信開始時刻が分散されていても、各端末装置１の持つ時計の誤差により時刻が標準時刻とずれてしまい、監視センター２が時間当たりに受ける件数に偏りができてしまう。
【００１４】
例えば、各端末装置１の持つ時計が図７に示すようにそれぞれ誤差が発生していて、且つ図６のスケジュールで実行されると、Ａビルの端末装置１の時計は図８に示すように標準時刻に対して１分の遅れがあり、標準時刻に対して１分遅れで監視センター２ヘデータ送信する。また他の端末装置１の時計も、図７に示すように遅れ又は進みが発生しているとする。すると実際には図６で示されるように監視センター２が本来１分間に３件づつデータ収集するべきところが、データ収集件数に偏りが発生し、図９に示すように時刻によって監視センター２が時間当たり受ける件数は変動してしまう。この件数の変動をグラフ化すると、図１０に示すようになる。また、これを１日で考えた場合は、例えば図１１に示すようになる。図１０、図１１において、１９は予め計画した監視センター２に送信される時間当たりの件数、２０は実際に監視センター２に送信される時間当たりの件数である。これでは、本来の目的であるデータ収集負荷の平均化が実現できない。
【００１５】
また、遠隔監視本来の目的であるより緊急度の高いかご内閉じ込めやその他エレベータの異常状態による発報時には、データと一緒に発生時刻を送信するが、端末装置１の持つ時刻データが標準時刻とずれている場合、正確な発生時刻がわからない状態となってしまう。
【００１６】
そこで、本発明の目的は、各エレベータ監視装置が常に正確な時刻を得ることで、監視センターへ送信するデータ量を平均化し負荷を軽減することができるとともに、緊急度の高い発報に対しては正確な時刻データを監視センターが受信できるエレベータ監視システムを提供することにある。
【００１７】
【課題を解決するための手段】
本発明は、監視センターと、この監視センターに対して、所定の時刻にデータ送信を行う複数のエレベータ監視装置とを有するエレベータ監視システムにおいて、前記複数のエレベータ監視装置の内の少なくとも１つのエレベータ監視装置に設けられ、エレベータ監視装置の有する時刻データを、監視センターの時刻データに整合させるための時刻整合手段を備えたことを特徴とする。
【００１８】
このような構成の本発明によれば、時刻整合手段を備えたエレベータ監視装置が常に監視センターの時刻データに整合した正確な時刻データを得ることができるので、監視センターへ送信するデータ量を平均化し監視センターの負荷を軽減することができるとともに、監視センターは緊急度の高い発報に対しては正確な時刻データを受信することができる。
【００１９】
【発明の実施の形態】
以下、図面を参照して本発明の実施形態について詳細に説明する。
【００２０】
（第１の実施形態）
まず、本発明の第１の実施形態について説明する。この実施形態のシステムの概略構成は、従来と同様図４に示すとおりで、監視センター２と電話回線３で接続された端末装置１（１ａ、１ｂ、…）を有するエレベータの遠隔監視システムであるが、この実施形態においては、図１に示すように、端末装置１は受信装置１０、時計ＩＣ１１で構成されていて、図６に示す各端末装置１に予め設定したデータ送信開始時刻と時計ＩＣ１１の時刻データが一致すると監視センター２ヘデータ送信を行う。
【００２１】
すなわち、この実施形態では、図１に示すように端末装置内１にある受信装置１０で標準時刻電波送信局９から送信される標準時刻電波１６又はＧＰＳ衛星１７から送信されるＧＰＳ電波１８に含まれる標準時刻信号を受信し、端末装置１内にある時計ＩＣ１１に時刻データの補正を行う。
【００２２】
また図６に示すように、１つの監視センター２が受持つ各ビルの端末装置１にはそれぞれ監視センター２ヘデータを送信する時刻が予め決めてあり、監視センター２が任意の時間当たりに受信する件数が平均化されるようにしてある。
【００２３】
端末装置１は、予め設定した時刻と時計ＩＣ１１の時刻データが一致すると、監視センター２ヘデータを送信する。この時、時計ＩＣ１１の時刻データは標準時刻、つまり誤差のない正しい時刻であり、図４で示すところの端末装置１（１ａ、１ｂ、…）全てが標準時刻となっている。
【００２４】
このように、端末装置１（１ａ、１ｂ、…）に設定されているデータ送信開始時刻は、監視センター２が任意時間当たりに受信する件数を平均化するためにそれぞれ異なる時刻が設定されているとともに、全ての端末装置１が標準時刻となっているので、標準時刻となっている監視センター２は、図６に示す予め設定したスケジュール通りに各端末装置１からデータを受信することができる。
【００２５】
以上のように、この実施形態によれば、各端末装置１にある時刻データを電波時計で利用されている標準時刻電波又はＧＰＳ電波に含まれる標準時刻信号により補正し、標準時刻となっている監視センター２の時刻データに整合した常に正しい時刻データを得ることができる。又、全ての端末装置１の時刻データが常に同じになることで監視センター２から時刻で各端末装置１を管理することが容易になる。つまり各端末装置１から監視センター２へ予め設定した時刻通りにデータ送信が行われ、これにより監視センター２が受けるデータ量が平均化され端末装置１からのデータ収集負荷が軽減される。また、監視センター２は、緊急度の高い発報に対しては正確な時刻データを受信することができる。
【００２６】
なお、上述の説明では、各端末装置１は受信装置１０で標準時刻電波送信局９から送信される標準時刻電波１６又はＧＰＳ衛星１７から送信されるＧＰＳ電波１８に含まれる標準時刻信号を受信することとしたが、これに限らず、システム外の他の装置から、標準時刻信号が送信されていれば、各端末装置１の受信装置１０でこれを受信するようにしてもよい。さらに、監視センター２から、定期的に、各端末装置１に正確な時刻を示す時刻データ信号を送信し、各端末装置１の受信装置１０でこの時刻データ信号を受信するように構成することもできる。
【００２７】
（第２の実施形態）
次に、本発明の第２の実施形態について説明する。この第２の実施形態は、上述の第１の実施形態において端末装置で補正された標準時刻データを時刻補正データとして端末装置と接続されている他の機器にも送り、これらの機器において端末装置から送られてきた時刻補正データにより機器内の時計ＩＣの時刻データをすべて、標準時刻データに補正することとしたものである。
【００２８】
すなわち、図２に示すように、端末装置１と接続されている他のエレベータシステムの機器、例えばエレベータ制御盤５、防犯用にかご内を撮影、記録するカメラ１３、及び画像記憶装置１２、ビル設備１５用に設置されるビル設備監視端末装置１４など、時計ＩＣを持つ装置に、端末装置１から時刻補正データを送ることで、各装置の時計ＩＣの時刻データをすべて、標準時刻に設定することが可能である。
【００２９】
（第３の実施形態）
次に、本発明の第３の実施形態について説明する。この第３の実施形態は、監視センターが標準時刻であり、端末装置の全てまたは端末装置の一部には第１の実施形態で説明したような時刻補正機能を持たせず、監視センターは時刻補正機能を持たない端末装置からのデータ着信があると、その端末装置が持つ時刻データと監視センターが持つ標準時刻との時間差を求め、これを時刻補正データとしてその端末装置に送り端末装置の時刻データを補正するとともに、その端末装置から受信したデータに含まれる時刻データを補正することとしたものである。
【００３０】
図３は、この実施形態における監視センターの動作を示すフローチャートである。図３に示すように、監視センター１では、端末装置１からのデータ着信があると（ステップＳ３１）、その端末装置が時刻補正機能を持たない端末装置であるかどうかを判定し（ステップＳ３２）、時刻補正機能を有する端末装置の場合はデータの受信処理を行う（ステップＳ３３）が、その端末装置が時刻補正機能を持たない端末装置の場合は、その端末装置が持つ時刻データと監視センターが持つ標準時刻との時間差を求め（ステップＳ３４）、これを時刻補正データとしてその端末装置に送信するとともに（ステップＳ３５）、その端末装置からのデータを受信して（ステップＳ３６）、受信したデータに含まれる時刻データを補正する（ステップＳ３７）。
【００３１】
この実施形態によれば、監視センターは、時刻補正機能を持たない端末装置から受信したデータに含まれる時刻データを正確な時刻データに補正することができる。
【００３２】
【発明の効果】
以上説明したように、本発明のエレベータ監視システムによれば、各エレベータ監視装置が常に正確な時刻を得ることで、監視センターへ送信するデータ量を平均化し負荷を軽減することができるとともに、緊急度の高い発報に対しては正確な時刻データを監視センターが受信することができる。
【図面の簡単な説明】
【図１】本発明の第１の実施形態における主要部の構成を示すブロック図。
【図２】本発明の第２の実施形態における主要部の構成を示すブロック図。
【図３】本発明の第３の実施形態における監視センターの動作を示すフローチャート。
【図４】本発明の第１の実施形態および従来のエレベータの遠隔監視システムの概略構成を示すブロック図。
【図５】図４の端末装置とエレベータとの関係を示したブロック図。
【図６】本発明の第１の実施形態および従来例における各端末装置が予め設定する監視センターへ送信する時刻のスケジュールを表した表図。
【図７】従来例における各端末装置が持つ時刻データと標準時刻との誤差を表した表図。
【図８】従来例における任意の端末装置（Ａビル）が持つ時刻データと標準時刻との関係を表した表図。
【図９】図６に対して、従来例における各端末装置が持つ時刻データの誤差により実際に監視センターへ送信する時刻を表した表図。
【図１０】図６と図９のデータをグラフ化した図。
【図１１】図１０のグラフを１日で考えた場合の図。
【符号の説明】
１…端末装置（エレベータ監視装置）
２…監視センター
３…電話回線
４…エレベータ機械室
５…エレベータ制御盤
６…テールコード
７…乗りかご
８…昇降路
９…標準時刻電波送信局
１０…受信装置
１１…時計ＩＣ
１２…画像記憶装置
１３…カメラ
１４…ビル設備監視端末装置
１５…ビル設備
１６…標準時刻電波
１７…ＧＰＳ衛星
１８…ＧＰＳ電波
１９…予め計画した監視センターに送信される時間当たりの件数
２０…実際に監視センターに送信される時間当たりの件数
【図１】
2004250116.tif 000003
【図２】
2004250116.tif 000004
【図３】
2004250116.tif 000005
【図４】
2004250116.tif 000006
【図５】
2004250116.tif 000007
【図６】
2004250116.tif 000008
【図７】
2004250116.tif 000009
【図８】
2004250116.tif 000010
【図９】
2004250116.tif 000011
【図１０】
2004250116.tif 000012
【図１１】
2004250116.tif 000013